(57)【要約】【課題】照明環境に応じて後付けでリプルの抑制機能を容易に付与すること。【解決手段】電源ユニット４Ａは、光源部３が電気的に接続される出力端子部４３と、電源回路４０と、接続部４４と、を備える。電源回路４０は、出力端子部４３を介して光源部３に電力を供給する。接続部４４には、少なくともコンデンサＣ３を有したコンデンサユニット４Ｂが着脱可能に接続される。接続部４４は、コンデンサユニット４Ｂが接続されることによって、コンデンサＣ３と光源部３とを電気的に並列接続する。【選択図】図１
2019021540.tif 000002
【特許請求の範囲】
【請求項１】
光源部が電気的に接続される出力端子部と、
前記出力端子部を介して前記光源部に電力を供給する電源回路と、
少なくともコンデンサを有したコンデンサユニットが着脱可能に接続される接続部と、を備え、
前記接続部は、前記コンデンサユニットが接続されることによって、前記コンデンサと前記光源部とを電気的に並列接続する
ことを特徴とする電源ユニット。
【請求項２】
前記出力端子部及び前記接続部は、前記電源回路の一対の出力端間において、互いに並列に接続される
ことを特徴とする請求項１記載の電源ユニット。
【請求項３】
前記電源回路を構成する電子部品が実装される基板を、更に備え、
前記接続部は、前記基板の周縁に配置されている
ことを特徴とする請求項１又は２記載の電源ユニット。
【請求項４】
前記接続部は、前記コンデンサユニットが前記基板の実装面と平行する一方向に沿って前記接続部に抜き差しされるように構成されている
ことを特徴とする請求項３記載の電源ユニット。
【請求項５】
前記接続部が前記コンデンサユニットと非接続状態にある時、前記接続部を覆うように装着可能な絶縁部材を、更に備える
ことを特徴とする請求項１〜４のいずれか１項に記載の電源ユニット。
【請求項６】
請求項１〜５のいずれか１項に記載の電源ユニットの前記接続部に対して着脱可能に接続される接続部材と、
前記コンデンサと、を備える
ことを特徴とするコンデンサユニット。
【請求項７】
請求項１〜５のいずれか１項に記載の電源ユニットと、前記コンデンサユニットと、を備える
ことを特徴とする電源装置。
【請求項８】
請求項７に記載の電源装置と、前記光源部と、を備える
ことを特徴とする照明装置。
【発明の詳細な説明】
【技術分野】
【０００１】
本発明は、一般に電源ユニット、コンデンサユニット、電源装置、及び照明装置に関する。より詳細には、本発明は、光源部に電力を供給する電源回路を備えた電源ユニット、当該電源ユニットに接続されるコンデンサユニット、電源ユニット及びコンデンサユニットを備えた電源装置、並びに、光源部及び電源装置を備えた照明装置に関する。
【背景技術】
【０００２】
従来例として、特許文献１記載の照明装置を例示する。この従来例には、照明装置が光学的読み取り装置を使用する環境下において用いられることが記載されている。また、この従来例には、光学的読み取り装置が所与のサンプリング周波数で例えばバーコード、ＱＲコード（登録商標）等の２次元バーコード、文字列といった識別符号を光学的に読み取る装置であることが記載されている。
【０００３】
この従来例の照明装置によれば、スイッチング電源回路の出力電流を、フィルタ部を介して発光ダイオード素子（光源部）が受け付けるので、発光ダイオード素子が受け付ける電流に含まれる高周波のノイズを抑制することができる。これによって、高周波のノイズに起因する照明装置の明るさの変動を抑制することができ、光学的読み取り装置の読み取りエラーを減らすことができる。
【先行技術文献】
【特許文献】
【０００４】
【特許文献１】特開２０１４−１７５２１９号公報
【発明の概要】
【発明が解決しようとする課題】
【０００５】
しかしながら、特許文献１記載の照明装置におけるフィルタ部だけでは、出力電流に含まれる高周波のノイズ（リプル）を十分に抑制できるものではなく、更なる改善が望まれている。例えば、フィルタ部のコンデンサのキャパシタンスを増加させることで、よりリプルの抑制を図ることができる。しかし、キャパシタンスの増加はコンデンサの大型化を伴う。要するに、電源回路全体の大型化に繋がるという問題が生じてしまう。
【０００６】
特に、照明装置が光学的読み取り装置（バーコードリーダー）を使用しない照明環境に設置される場合、そのようなキャパシタンスの大きなコンデンサを有したフィルタ部は不要である。すなわち、照明装置が設置される照明環境によっては、リプル対策のために費やされたコストが無駄になってしまうという問題がある。
【０００７】
本発明は上記事由に鑑みてなされ、照明環境に応じて後付けでリプルの抑制機能を容易に付与することができる電源ユニット、コンデンサユニット、電源装置、及び照明装置を提供することを目的とする。
【課題を解決するための手段】
【０００８】
本発明の一態様に係る電源ユニットは、光源部が電気的に接続される出力端子部と、電源回路と、接続部と、を備える。前記電源回路は、前記出力端子部を介して前記光源部に電力を供給する。前記接続部には、少なくともコンデンサを有したコンデンサユニットが着脱可能に接続される。前記接続部は、前記コンデンサユニットが接続されることによって、前記コンデンサと前記光源部とを電気的に並列接続する。
【０００９】
本発明の一態様に係るコンデンサユニットは、前記電源ユニットの前記接続部に対して着脱可能に接続される接続部材と、前記コンデンサと、を備える。
【００１０】
本発明の一態様に係る電源装置は、前記電源ユニットと、前記コンデンサユニットと、を備える。
【００１１】
本発明の一態様に係る照明装置は、前記電源装置と、前記光源部と、を備える。
【発明の効果】
【００１２】
本発明は、照明環境に応じて後付けでリプルの抑制機能を容易に付与することができる、という利点がある。
【図面の簡単な説明】
【００１３】
【図１】図１は、本発明の一実施形態に係る電源装置の回路図である。
【図２】図２Ａは、同上の電源装置における電源ユニットの平面図である。図２Ｂは、同上の電源ユニットの側面図である。
【図３】図３は、図２ＡのＡ−Ａ線断面図である。
【図４】図４は、同上の電源ユニットにおける接続部の斜視図である。
【図５】図５は、同上の電源装置におけるコンデンサユニットの部分断面図である。
【図６】図６は、同上の接続部に同上のコンデンサユニットが接続された状態における要部の側面図である。
【図７】図７は、本発明の一実施形態に係る照明器具の分解斜視図である。
【図８】図８Ａは、本発明の一実施形態に係る照明装置の一部破断した上面図である。図８Ｂは、同上の照明装置の一部破断した下面図である。
【発明を実施するための形態】
【００１４】
（１）概要
以下の実施形態は、本発明の様々な実施形態の一つに過ぎない。以下の実施形態は、本発明の目的を達成できれば、設計等に応じて種々の変更が可能である。
【００１５】
本実施形態の照明装置２は、図１に示すように、光源部３及び電源装置４を備えている。照明装置２は、当該照明装置２を支持する器具本体１０と共に照明器具１を構成する（図７参照）。
【００１６】
以下に説明する照明器具１は、天井に取り付けられる照明器具を例示するが、壁等の天井以外の場所に取り付けられる照明器具であってもかまわない。また、以下の説明では、特に断りのない限り、照明器具１の上下、左右、前後の方向を、図７に図示されている上下、左右、前後の矢印を用いて規定して説明する。これらの矢印は、単に説明を補助する目的で記載しているに過ぎず、実体を伴わない。また、上記の方向の規定は、本実施形態の照明器具１の使用形態を限定する趣旨ではない。
【００１７】
照明装置２の電源装置４は、図１に示すように、電源ユニット４Ａとコンデンサユニット４Ｂとを備えている。電源ユニット４Ａは、光源部３に電力を供給するための電源回路４０を備えている。電源ユニット４Ａは、光源部３が電気的に接続される出力端子部４３と、接続部４４と、を更に備えている。電源回路４０は、出力端子部４３を介して光源部３に電力を出力する。コンデンサユニット４Ｂは、少なくともコンデンサＣ３を有している。接続部４４は、コンデンサユニット４Ｂが着脱可能に接続されるように構成されている。また、接続部４４は、コンデンサユニット４Ｂが接続されることによって、コンデンサＣ３と光源部３とを電気的に並列接続する。
【００１８】
コンデンサユニット４ＢのコンデンサＣ３の種類は、特に限定されるものではない。ただし、コンデンサＣ３は、比較的キャパシタンスの大きい電解コンデンサであることが望ましい。
【００１９】
この構成によれば、電源ユニット４Ａは、コンデンサユニット４Ｂが着脱可能に接続される接続部４４を有している。そのため、例えばバーコードリーダーが使用されるような照明環境に照明装置２が設置される場合、電源ユニット４Ａにコンデンサユニット４Ｂを取付けることで、後付けでリプルの抑制機能を付与することができる。すなわち、照明環境に応じて後付けでリプルの抑制機能を容易に付与することができる。
【００２０】
また、バーコードリーダーが使用されないような照明環境に照明装置２が設置される場合、コンデンサユニット４Ｂの接続を行わないことで、追加的なリプルの抑制機能を有さない照明装置２を提供することができる。すなわち、リプル対策のために費やされるコスト（コンデンサユニット４Ｂに掛かるコスト）を減らすことができる。
【００２１】
（２）詳細
（２．１）全体構成
以下、本実施形態の照明器具１について、図１〜図８Ｂを参照して詳しく説明する。照明器具１は、図７に示すように、照明装置２と器具本体１０とで構成される。器具本体１０は、２本の吊りボルト２００に固定され、天井１００に直付けされる。照明装置２は、器具本体１０に対して着脱可能に取り付けられる。
【００２２】
（２．２）器具本体
器具本体１０は、板金に曲げ加工を施すことで長尺かつ上面（天井１００との対向面）が開口する扁平な箱状に形成される。また、器具本体１０は、図７に示すように、天井１００と反対側（下側）には照明装置２を収容するための矩形の凹部１１が器具本体１０長手方向（左右方向）の全長に亘って設けられている。また、器具本体１０の幅方向（前後方向）における凹部１１の両側には、それぞれ傾斜部１２が設けられている。傾斜部１２は、凹部１１の開口端縁から器具本体１０の幅方向（前後方向）に延出し、かつ、外側に向かって上方へ傾斜する。
【００２３】
また、凹部１１の底板１１１には、電源線５００を通すための孔１１１Ａが長手方向（左右方向）におけるほぼ中央に設けられている。さらに、この底板１１１には、長手方向（左右方向）における両端寄りの位置に２本の吊りボルト２００を通すための２つの孔１１１Ｂが設けられている。そして、底板１１１の下面には端子台２５が取り付けられる。端子台２５は、電源線５００と電気的に接続される。また、端子台２５から接地線を含む３本の電線２５０が引き出されている。さらに、これら３本の電線２５０の先端にプラグコネクタ２５１が電気的に接続されている。
【００２４】
（２．３）照明装置
照明装置２は、上記「（１）概要」の欄で説明したように、光源部３及び電源装置４を備えている。照明装置２は、取付部材２１（図８Ａ参照）及びカバー２２（図７参照）等を更に備えている。
【００２５】
光源部３は、図８Ｂに示すように、例えば２つのＬＥＤモジュール３０を備えている。２つのＬＥＤモジュール３０は、長手方向（左右方向）に並んで配置されている。各ＬＥＤモジュール３０は、長手方向（左右方向）に長い矩形板状に形成された基板３０１（図８Ｂ参照）を有している。基板３０１の下面には、複数のＬＥＤ（Light Emitting Diode）３００（図１参照）が長手方向（左右方向）に沿い、かつ、１列に並べて実装（配置）されている。また、２つのＬＥＤモジュール３０のいずれか１つに、一対の入力端子部３０２（図１参照）が設けられている。
【００２６】
また、各ＬＥＤモジュール３０において隣接するＬＥＤモジュール３０と対向する端部には、電源供給用の一対のコネクタがそれぞれ実装されている。そして、互いに隣接する両ＬＥＤモジュール３０の一対のコネクタ同士が電気的に接続されることで、一方のＬＥＤモジュール３０から他方のＬＥＤモジュール３０に点灯電力が中継される。
【００２７】
取付部材２１は、板金に曲げ加工を施すことで、左右方向に沿って見たときにＵ字状に形成されている。取付部材２１は、図８Ａに示すように、長尺かつ矩形板状に形成された底板２１１と、底板２１１の左右方向（幅方向）における両端から上向きに延出される一対の側板２１２とで構成される。ＬＥＤモジュール３０は、例えば取付部材２１の底板２１１の一部を切り起こすことで形成された爪により取付部材２１に固定される。
【００２８】
また、取付部材２１は、図７に示すように、長手方向（左右方向）における両端寄りの位置において幅方向（前後方向）の一端側に延びる一対の引掛金具２１４と、幅方向の他端側に配置される一対の引掛ばね２１５とを有している。
【００２９】
カバー２２は、光拡散性を有する材料（例えば乳白色のアクリル樹脂）により上面（取付部材２１側の面）が開口する長尺の箱形に形成されている。カバー２２は、図７に示すように、前後方向（幅方向）において両端側から中央側に行くほど下側への突出量が大きくなるような凸レンズ形状の曲面部を有している。カバー２２は、取付部材２１に配置されている２つのＬＥＤモジュール３０を覆うように取付部材２１に組み付けられている。
【００３０】
（２．４）電源装置
（２．４．１）電源装置の全体構成
照明装置２の電源装置４は、上記「（１）概要」の欄で説明したように、電源ユニット４Ａと、コンデンサユニット４Ｂと、を備えている（図１参照）。コンデンサユニット４Ｂは、電源ユニット４Ａ（の後述する接続部４４）に対して着脱可能に接続される。
【００３１】
（２．４．２）電源ユニット
電源ユニット４Ａは、図２Ａに示すように、プリント配線板（基板）４１に電子部品が実装されて構成される電源回路４０と、電源回路４０を収容するケース４２と、を備えている。電源ユニット４Ａは、図１に示すように、光源部３が電気的に接続される一対の出力端子部４３と、接続部４４と、を更に備えている。電源回路４０は、出力端子部４３を介して光源部３に電力を出力する。コンデンサユニット４Ｂは、少なくともコンデンサＣ３を有している。接続部４４は、コンデンサユニット４Ｂが着脱可能に接続されるように構成されている。また、接続部４４は、コンデンサユニット４Ｂが接続されることによって、コンデンサＣ３と光源部３とを電気的に並列接続する。
【００３２】
電源回路４０の回路図を図１に示す。電源回路４０は、図１に示すように、例えば、電源入力部４００、フィルタ回路４０１、整流部４０２、昇圧回路４０３、降圧回路４０４、制御回路４０５、一対の接続点４０６、及び信号入力部４０７（図２Ａ参照）を備えている。
【００３３】
電源入力部４００は、レセプタクルコネクタからなり、端子台２５から引き出された電線２５０と電気的に接続されているプラグコネクタ２５１（図７参照）が差込接続される。フィルタ回路４０１は、コモンモードチョークコイル４０１０と、アクロス・ザ・ラインコンデンサ４０１１とで構成される。整流部４０２は、ダイオードブリッジで構成される。整流部４０２は、フィルタ回路４０１及び電源入力部４００を介して交流電源６から入力される交流電圧（交流電流）を全波整流し、脈流電圧（脈流電流）を直流出力端子から出力する。
【００３４】
昇圧回路４０３は、チョークコイルＬ１、スイッチング素子Ｑ１、整流素子Ｄ１、及び平滑コンデンサＣ１等で構成される、従来周知の昇圧チョッパ回路（力率改善回路）である。昇圧回路４０３は、整流部４０２から出力される脈流電圧を、当該脈流電圧のピーク値よりも高い直流電圧（例えば、４００［Ｖ］の直流電圧）に変換する。
【００３５】
降圧回路４０４は、スイッチング素子Ｑ２、インダクタＬ２、整流素子Ｄ２、平滑コンデンサＣ２等で構成される、従来周知の降圧チョッパ回路（バックコンバータ）である。降圧回路４０４は、昇圧回路４０３から出力される直流電圧（第１直流電圧）を、負荷であるＬＥＤモジュール３０に適した直流電圧（第２直流電圧）に降圧する。
【００３６】
一対の接続点４０６は、例えば、プリント配線板４１（の上面）に形成されている２つのランドからなり、降圧回路４０４の出力端子（平滑コンデンサＣ２の両端）と、それぞれ電気的に接続される。また、一対の接続点４０６は、図１に示すように、一対の出力端子部４３と、それぞれ電気的に接続される。
【００３７】
一対の出力端子部４３は、ＬＥＤモジュール３０の基板３０１に設けられている２つのエッジコネクタ端子である入力端子部３０２（図１参照）とかん合されるエッジソケットコネクタである。要するに、一対の出力端子部４３が一対の入力端子部３０２とかん合されることで、電源回路４０が光源部３の複数のＬＥＤ３００と電気的に接続される。更に、一対の接続点４０６は、プリント配線板４１（の下面）に実装されている接続部４４の一対の接続ピン４４０（図３及び図４参照）と、それぞれ電気的に接続される。
【００３８】
制御回路４０５は、昇圧回路４０３のスイッチング素子Ｑ１並びに降圧回路４０４のスイッチング素子Ｑ２をそれぞれスイッチングし、昇圧回路４０３の出力電圧を一定に維持するとともに、降圧回路４０４の出力電流を目標値に一致させるように構成される。電源回路４０は、制御回路４０５を動作するための制御電圧（例えば、１５［Ｖ］〜３［Ｖ］程度の直流電圧）を生成する制御電源回路を、更に備えていることが好ましい。
【００３９】
信号入力部４０７は、レセプタクルコネクタからなり、信号線を介して外部（例えば調光器）から伝送されてくる制御信号を受け取る。詳細な説明は省略するが、電源回路４０は、例えば、調光制御回路及び消灯制御回路を、更に備えている。消灯制御回路は、制御信号に応じて、点灯中のＬＥＤモジュール３０を消灯させるための消灯信号を生成して制御回路４０５に出力する。制御回路４０５は、消灯信号を受け取ると、スイッチング素子Ｑ２のスイッチングを中止して降圧回路４０４を停止させ、ＬＥＤモジュール３０を消灯する。
【００４０】
調光制御回路は、制御信号に応じて、調光信号を生成して制御回路４０５に出力する。調光信号は、ＬＥＤモジュール３０の光出力（調光レベル）を指示するための信号である。調光レベルは、定格電力が供給されているときのＬＥＤモジュール３０の光出力を１００［％］としたとき、ＬＥＤモジュール３０に供給される単位時間当たりの平均電力の定格電力に対する比率［％］で表される。制御回路４０５は、調光制御回路から受け取る調光信号に応じて、スイッチング素子Ｑ２のデューティ比を調整するように構成されることが好ましい。
【００４１】
プリント配線板４１は、図２Ａに示すように、長尺の矩形平板状の絶縁基板の裏面に配線用の導体（銅はく）がプリントされて構成される。プリント配線板４１の表面（下面）に、コネクタ、平滑コンデンサＣ１、Ｃ２、及びコモンモードチョークコイル４０１０等の、いわゆるリード部品が実装される。そして、プリント配線板４１の裏面（上面）に、整流部４０２、制御回路４０５、調光制御回路、及び消灯制御回路等の表面実装部品が実装される。ここで、電源入力部４００は、プリント配線板４１の長手方向（左右方向）の端部の表面に実装される。一方、信号入力部４０７は、プリント配線板４１の長手方向（左右方向）の他端部の表面に実装される。更に、接続部４４も、プリント配線板４１の他端部の表面に実装される。すなわち、接続部４４は、プリント配線板４１の周縁（左縁）に配置されている。信号入力部４０７と接続部４４とは、プリント配線板４１の表面上の左縁において、前後方向に沿って並んでいる。接続部４４については、後の「（２．５）接続部）」の欄で詳しく説明する。
【００４２】
ケース４２は、図２Ａ及び図２Ｂに示すように、底板４２０と、底板４２０の短手方向に沿った端縁から立ち上がる一対の第１側板４２１Ａ、４２１Ｂと、底板４２０の長手方向に沿った端縁から立ち上がる一対の第２側板４２２Ａ、４２２Ｂとを有する。すなわち、ケース４２は、底板４２０に対向する面（下面）が開放された長尺の箱形に形成されている。また、ケース４２は、一対の第２側板４２２Ａ、４２２Ｂの片方である第２側板４２２Ａの先端から外向きに突出する固定板４２３を備えている。固定板４２３は、図２Ｂに示すように、角樋状に形成されている。
【００４３】
また、ケース４２は、図２Ｂに示すように、一対の第１側板４２１Ａ、４２１Ｂのうちの片方である第１側板４２１Ａにおいて、矩形の第１窓孔４２４と矩形の第２窓孔４２５とを有している。第１窓孔４２４は、接続部４４をケース４２の外部に露出するための孔である。また、第２窓孔４２５は、信号入力部４０７をケース４２の外部に露出するための孔である。第１窓孔４２４及び第２窓孔４２５は、いずれも第１側板４２１Ａをその厚み方向に貫通している。
【００４４】
プリント配線板４１は、裏面を底板４２０に対向させる向きでケース４２内に収容され、一対の第２側板４２２Ａ、４２２Ｂから切り起こされる４つの爪４２２０でケース４２に固定される（図２Ａ参照）。電源入力部４００の差込口は、第１側板４２１Ｂに設けられた矩形の窓孔を通してケース４２の外に突出する。
【００４５】
電源ユニット４Ａは、図８Ａに示すように、ケース４２の底板４２０が上になるように、照明装置２の取付部材２１の上面に取り付けられる。具体的には、第２側板４２２Ｂ及び固定板４２３がそれぞれ取付部材２１の一対の側板２１２にねじ止めされることによって、ケース４２が取付部材２１に固定される。また、取付部材２１に取り付けられた状態において、ケース４２の開口が取付部材２１の底板２１１で塞がれる。
【００４６】
（２．４．３）コンデンサユニット
コンデンサユニット４Ｂは、図５に示すように、プラグコネクタ４５（接続部材）と、コンデンサＣ３と、ハウジング４６と、一対の電線４７と、を備えている。
【００４７】
コンデンサＣ３は、例えば電解コンデンサである。ハウジング４６は、絶縁材料によって中空の矩形箱状に形成されており、その内部にコンデンサＣ３を収容している。一対の電線４７の一端は、コンデンサＣ３の両端とそれぞれ電気的に接続されていて、ハウジング４６は、一対の電線４７を導出するための一対の孔４６０を有している。ハウジング４６は、例えば、コンデンサＣ３全体（リードも含む）と電線４７の一端とを覆う熱収縮チューブであってもよい。
【００４８】
プラグコネクタ４５は、接続部４４に挿入されたときに接続部４４の一対の接続ピン４４０をそれぞれ受けるための一対の筒状のピン受け部（不図示）を有している。一対のピン受け部は、一対の電線４７の他端とそれぞれ電気的に接続されている。また、プラグコネクタ４５は、図６に示すように、ラッチ部４８を有している。プラグコネクタ４５は、接続部４４に挿入された時、ラッチ部４８が接続部４４に引っ掛かることで接続部４４に対して抜け止めされる。
【００４９】
（２．５）接続部
接続部４４は、図３及び図４に示すように、例えばレセプタクルコネクタからなり、コンデンサユニット４Ｂ（のプラグコネクタ４５）が着脱可能に接続される。具体的には、接続部４４は、全体として一面（図３では右面）が開放された略矩形箱状に形成されていて、当該一面に差込口４４１（図４参照）を有している。接続部４４は、図２Ａに示すように、平滑コンデンサＣ１、Ｃ２及びコモンモードチョークコイル４０１０等のリード部品が実装されるプリント配線板４１の下面に実装されている。接続部４４は、差込口４４１がケース４２の第１窓孔４２４からケース４２の外部に露出するように配置されている。
【００５０】
接続部４４は、図３及び図４に示すように、その内部において、一対の接続ピン４４０を有している。一対の接続ピン４４０の基端は、電源回路４０の一対の接続点４０６と、それぞれ電気的に接続されている。つまり、出力端子部４３及び接続部４４は、電源回路４０の一対の出力端（接続点４０６）間において、互いに並列に接続される。一対の接続ピン４４０の先端は、コンデンサユニット４Ｂのプラグコネクタ４５が差込口４４１から接続部４４内に挿入されることで、プラグコネクタ４５のピン受け部内に入り込み、電気的に接続される。
【００５１】
また、接続部４４は、図３及び図４に示すように、プラグコネクタ４５のラッチ部４８が引っ掛かるための突起部４４２を有している。接続部４４は、図４に示すように、その上端部において前後方向の中央が下方向に凹んだ凹所４４３を有しており、突起部４４２は、その凹所４４３内の底面から上方向に突出している。突起部４４２は、図３に示すように、その一端（図３では右端）において他端（図３では左端）から離れるほど凹所４４３内の底面に近づくように緩やかに傾斜した傾斜面４４２Ａを有している。プラグコネクタ４５が接続部４４内へ挿入される過程において、ラッチ部４８の先端の爪（不図示）が傾斜面４４２Ａ上を滑りながら反り上がり、突起部４４２の上記他端に到達することで弾性復帰して、突起部４４２へのラッチ部４８の引っ掛りが達成される。
【００５２】
接続部４４は、図４に示すように、その底部４４４において接続ピン４４０から離れる方向に突出する一対の係止爪４４５を有している。一方、プリント配線板４１は、左縁においてその厚み方向に貫通する一対の係止孔４１０（図３参照、図３では１つのみ図示）を有している。接続部４４は、一対の接続ピン４４０の基端をプリント配線板４１の一対のスルーホール４１１（図３参照、図３では１つのみ図示）に挿入しつつ、一対の係止爪４４５を一対の係止孔４１０に係止させることで、プリント配線板４１に取り付けられている。
【００５３】
ところで、本実施形態の電源ユニット４Ａは、図３に示すように、接続部４４の差込口４４１を覆うように装着可能な絶縁部材４４６を、更に備えている。絶縁部材４４６は、例えばシリコーン樹脂等の材料により角柱状に形成されている。接続部４４がコンデンサユニット４Ｂと非接続状態にある時、絶縁部材４４６が接続部４４に装着されていることが望ましい。この場合、一対の接続ピン４４０が露出したまま照明装置２が使用されることを防ぐことができる。
【００５４】
（２．６）コンデンサユニットの取付作業
以下、コンデンサユニット４Ｂを電源ユニット４Ａに取り付けるための取付作業について説明する。この取付作業は、例えば、照明装置２又は照明器具１の納品先として、バーコードリーダーが使用される店舗等（コンビニエンスストア、スーパーマーケット等）に確定した段階で、その出荷時に行われてもよい。また、取付作業は、実際に照明装置２（又は照明器具１）が上記店舗等における照明空間へ施工される時に行われてもよいし、あるいは、既に当該照明空間に設置済みの照明装置２（又は照明器具１）に対して追加的に行われてもよい。以下では、一例として、照明装置２の出荷時に取付作業を行うことを想定して説明する。
【００５５】
まず、コンデンサユニット４Ｂの取付けを行う作業者（以下、単に「作業者」）は、例えば予め用意されているキャパシタンスの異なる複数のコンデンサユニット４Ｂの中から適切なものを１つ選択する。例えば同じ照明空間内においても、照明装置２が実際に配置される位置からレジカウンターまでの距離が比較的離れている場合、出力電流内のリプルに起因する光源部３の明るさの変動は、光がレジカウンターに到達するまでの間に減衰することが予想される。つまり、例えばレジカウンターの真上に設置されている照明装置２に比べると、比較的離れた照明装置２が、バーコードリーダーの読み取りエラーの原因となる可能性は低い。したがって、このような場合には比較的キャパシタンスの低い（つまりコストの安い）コンデンサＣ３を有したコンデンサユニット４Ｂが選択されてもよい。
【００５６】
次に、作業者は、照明装置２の取付部材２１の上に固定されている電源ユニット４Ａを確認する（図８Ａ参照）。更に、作業者は、ケース４２の第１側板４２１Ａ（すなわち左側板）にある第１窓孔４２４から露出している接続部４４の差込口４４１の位置を確認する。そして、取付部材２１上におけるケース４２の左横の収容スペース４９（図８Ａ参照）にコンデンサユニット４Ｂのハウジング４６を載せ置く。このとき、接続部４４の突起部４４２は下を向いているため、作業者は、プラグコネクタ４５のラッチ部４８が下を向くようにハウジング４６の向きを整えて、プラグコネクタ４５を把持する。
【００５７】
そして、作業者は、予め装着されていた絶縁部材４４６を接続部４４から取り外し、プラグコネクタ４５を差込口４４１から接続部４４内へ挿入する。その結果、接続ピン４４０がプラグコネクタ４５内のピン受け部と接触して電気的に接続される。この時、コンデンサユニット４ＢのコンデンサＣ３は、光源部３と並列に接続されることになる（図１参照）。
【００５８】
なお、プラグコネクタ４５を接続部４４内へ挿入する過程において、ラッチ部４８の爪が突起部４４２に引っ掛かるため、プラグコネクタ４５の抜け止めが成される。一方、ラッチ部４８の爪が突起部４４２から離れるようにラッチ部４８の爪とは反対側の一端を下へ押し下げることで、プラグコネクタ４５を接続部４４から引き抜くことができる。
【００５９】
このように、本実施形態の電源ユニット４Ａは、コンデンサＣ３を有したコンデンサユニット４Ｂが着脱可能に接続される接続部４４を備えているため、照明環境に応じて後付けでリプルの抑制機能を容易に付与することができる。また、バーコードリーダーが使用されない照明環境に照明装置２が設置される場合、コンデンサユニット４Ｂの取付けを行わないことで、追加的なリプルの抑制機能を有さない照明装置２を提供することができる。すなわち、リプル対策のために費やされるコスト（コンデンサユニット４Ｂに掛かるコスト）を減らすことができる。
【００６０】
また、本実施形態では、接続部４４がプリント配線板４１の周縁（図示例では左縁）に配置されている。そのため、既に取付部材２１上に電源ユニット４Ａが固定された状態においても、コンデンサユニット４Ｂを容易に電源ユニット４Ａへ取り付けることができる。
【００６１】
ところで、本実施形態の接続部４４は、コンデンサユニット４Ｂがプリント配線板４１の実装面（下面）と平行する一方向（左右方向）に沿って接続部４４に抜き差しされるように構成されている。要するに、接続部４４は、差込口４４１がケース４２の左横の収容スペース４９と対向するように配置されている。したがって、ハウジング４６を収容スペース４９に配置させた状態でプラグコネクタ４５の接続作業が出来るため、作業性の面で優れている。特に、例えばケース４２の底板４２０に窓孔が形成され、底板４２０上にハウジング４６が載せ置かれた状態で当該窓孔から露出する差込口４４１にプラグコネクタ４５を接続する場合に比べて、プラグコネクタ４５及び電線４７等に掛かるストレスが抑えられる。
【００６２】
（３）変形例
以下に、いくつかの変形例について列記する。以下では上述した実施形態を「基本例」と呼ぶ。
【００６３】
基本例では、接続部４４がレセプタクルコネクタからなり、コンデンサユニット４Ｂがプラグコネクタ４５を有している。しかし、この限りではなく、例えば、接続部４４がプラグコネクタからなり、コンデンサユニット４Ｂがレセプタクルコネクタを有していてもよい。
【００６４】
基本例では、コンデンサユニット４Ｂは、電子部品としてコンデンサＣ３のみを有し、コンデンサＣ３の両端に電線４７が直接接続されている。しかし、この限りではなく、コンデンサユニット４Ｂは、その内部に、コンデンサＣ３以外の電子部品、及びコンデンサＣ３等が実装されるプリント配線板を有していてもよい。
【００６５】
基本例では、電源ユニット４Ａが取付部材２１の底板２１１の上面に固定されている。しかし、この限りではなく、例えば、電源ユニット４Ａは、器具本体１０の凹部１１内に固定されていてもよい。
【００６６】
基本例では、コンデンサユニット４Ｂの不使用時に接続部４４の差込口４４１を塞ぐための絶縁部材４４６が設けられている。しかし、絶縁部材４４６の代わりに、例えばケース４２が、差込口４４１を開放する位置と塞ぐ位置との間でスライド移動（例えば上下方向に沿った移動）可能な扉を有していてもよい。
【００６７】
（４）利点
以上説明したように、第１の態様に係る電源ユニット４Ａは、光源部３が電気的に接続される出力端子部４３と、電源回路４０と、接続部４４と、を備える。電源回路４０は、出力端子部４３を介して光源部３に電力を供給する。接続部４４には、少なくともコンデンサＣ３を有したコンデンサユニット４Ｂが着脱可能に接続される。接続部４４は、コンデンサユニット４Ｂが接続されることによって、コンデンサＣ３と光源部３とを電気的に並列接続する。第１の態様によれば、照明環境に応じて後付けでリプルの抑制機能を容易に付与することができる。
【００６８】
第２の態様に係る電源ユニット４Ａに関して、第１の態様において、出力端子部４３及び接続部４４は、電源回路４０の一対の出力端（接続点４０６）間において、互いに並列に接続されることが好ましい。第２の態様によれば、簡単な回路構成でありながらも、リプルの抑制機能を付与することができる。
【００６９】
第３の態様に係る電源ユニット４Ａは、第１の態様又は第２の態様において、電源回路４０を構成する電子部品が実装される基板（プリント配線板４１）を、更に備えることが好ましい。接続部４４は、上記基板の周縁に配置されていることが好ましい。第３の態様によれば、例えば、接続部４４が上記基板の中央付近に配置されている場合に比べて、コンデンサユニット４Ｂを容易に電源ユニット４Ａへ取り付けることができる。
【００７０】
第４の態様に係る電源ユニット４Ａに関して、第３の態様において、接続部４４は、コンデンサユニット４Ｂが上記基板（プリント配線板４１）の実装面と平行する一方向に沿って接続部４４に抜き差しされるように構成されていることが好ましい。第４の態様によれば、コンデンサユニット４Ｂを取付けるための作業性の向上を更に図ることができる。
【００７１】
第５の態様に係る電源ユニット４Ａは、第１の態様〜第４の態様のいずれか１つにおいて、接続部４４がコンデンサユニット４Ｂと非接続状態にある時、接続部４４を覆うように装着可能な絶縁部材４４６を、更に備えることが好ましい。第５の態様によれば、コンデンサユニット４Ｂの不使用時に、接続部４４（の接続ピン４４０）が露出したまま電源ユニット４Ａが使用されることを防ぐことができる。
【００７２】
第６の態様に係るコンデンサユニット４Ｂは、第１の態様〜第５の態様のいずれか１つの電源ユニット４Ａの接続部４４に対して着脱可能に接続される接続部材（プラグコネクタ４５）と、コンデンサＣ３と、を備える。第６の態様によれば、電源ユニット４Ａに対して、後付けでリプルの抑制機能を容易に付与することができる。
【００７３】
第７の態様に係る電源装置４は、第１の態様〜第５の態様のいずれか１つの電源ユニット４Ａと、コンデンサユニット４Ｂと、を備える。第７の態様によれば、照明環境に応じて後付けでリプルの抑制機能を容易に付与することが可能な電源装置４を提供することができる。
【００７４】
第８の態様に係る照明装置２は、第７の態様における電源装置４と、光源部３と、を備える。第８の態様によれば、照明環境に応じて後付けでリプルの抑制機能を容易に付与することが可能な照明装置２を提供することができる。
【符号の説明】
【００７５】
２  照明装置
３  光源部
４  電源装置
４Ａ  電源ユニット
４０  電源回路
４０６  接続点（出力端）
４１  プリント配線板（基板）
４３  出力端子部
４４  接続部
４４６  絶縁部材
４５  プラグコネクタ（接続部材）
４Ｂ  コンデンサユニット
Ｃ３  コンデンサ
【図１】
2019021540.tif 000003
【図２】
2019021540.tif 000004
【図３】
2019021540.tif 000005
【図４】
2019021540.tif 000006
【図５】
2019021540.tif 000007
【図６】
2019021540.tif 000008
【図７】
2019021540.tif 000009
【図８】
2019021540.tif 000010